(57)【要約】【課題】関心領域の位置を容易に把握できるようにしつつ、患者のＸ線の被曝を低減する。【解決手段】Ｘ線を照射する第一Ｘ線焦点７および第二Ｘ線焦点８と、第一Ｘ線焦点７および第二Ｘ線焦点８が発して被写体Ｐを透過したＸ線を検出するＸ線検出器と、Ｘ線検出器が検出したＸ線をＸ線画像として表示するステレオ表示部とを有し、第一Ｘ線焦点７によるＸ線照射領域１１は、第二Ｘ線焦点８によるＸ線照射領域１２に包含されるように設定される。【選択図】図３
2013128661.tif 000002
【特許請求の範囲】
【請求項１】
Ｘ線を照射する複数のＸ線焦点を有するＸ線発生部と、
前記複数のＸ線焦点が発して被写体を透過したＸ線を検出するＸ線検出器と、
前記Ｘ線検出器が検出したＸ線をステレオ表示するステレオ表示部と、
を有し、
前記複数のＸ線焦点のうちの一のＸ線焦点による一のＸ線照射領域は、前記複数のＸ線焦点のうちの他の一のＸ線焦点による他の一のＸ線照射領域に包含されるように設定されることを特徴とするステレオＸ線撮影装置。
【請求項２】
前記表示部は、前記一のＸ線照射領域をステレオ表示するとともに、前記一のＸ線照射領域の周囲に、前記他の一のＸ線照射領域のＸ線画像と略同じ大きさの補完画像２３を表示することを特徴とする請求項１に記載のステレオＸ線撮影装置。
【請求項３】
前記補完画像２３は、前記他の一のＸ線焦点が照射するＸ線により撮影されたＸ線画像であることを特徴とする請求項２に記載のステレオＸ線撮影装置。
【請求項４】
前記補完画像２３は、前記他の一のＸ線焦点が照射するＸ線により撮影されたＸ線画像の平均輝度を有する画素からなる画像であることを特徴とする請求項２に記載のステレオＸ線撮影装置。
【請求項５】
前記一のＸ線照射領域は、前記他の一のＸ線照射領域のＸ線画像のうちの動きベクトルが所定の閾値以上で、かつ、前記他の一のＸ線照射領域のＸ線画像が細線化処理された線分領域であることを特徴とする請求項１から４のいずれか１項に記載のステレオＸ線撮影装置。
【請求項６】
前記一のＸ線照射領域は、一辺が５０ｍｍ以上の矩形の領域であることを特徴とする請求項１から５のいずれか１項に記載のステレオＸ線撮影装置。
【請求項７】
Ｘ線を照射する複数のＸ線焦点を有するＸ線発生部と、前記複数のＸ線焦点が発して被写体を透過したＸ線を検出するＸ線検出器と、前記Ｘ線検出器が検出したＸ線をステレオ表示するステレオ表示部とを有するステレオＸ線撮影装置を用いてステレオＸ線画像を得るためのステレオＸ線撮影方法であって、
前記複数のＸ線焦点のうちの一のＸ線焦点による一のＸ線照射領域は、前記複数のＸ線焦点のうちの他の一のＸ線焦点による他の一のＸ線照射領域に包含されるように設定されることを特徴とするステレオＸ線撮影方法。
【発明の詳細な説明】
【技術分野】
【０００１】
本発明は、ステレオＸ線撮影装置、ステレオＸ線撮影方法に関する。詳しくは、本発明は、複数の方向から被写体にＸ線を照射してＸ線画像を撮影し、撮影した複数のＸ線画像をステレオ表示できるステレオＸ線撮影装置およびステレオＸ線撮影方法に関する。
【背景技術】
【０００２】
ステレオＸ線撮影装置は、複数の血管の前後関係を認識できる利点がある。
しかしながら、従来のＸ線絞り装置では、被写体の必要部位をステレオ撮影する場合、二つのＸ線錐の内側は絞り込むことができなかった。このため、被写体に対して不要なＸ線を与えるという問題があった。特に、Ｘ線の照射の端部が左右で一致しないため、被写体のＸ線の被曝量が多くなるという問題があった。このため、特許文献１には、左右のＸ線の照射の端部が合致するような絞りを用いることによって、被曝量を低減する構成が開示されている。
また、特許文献２には、マルチＸ線装置に関して、Ｘ線の透視方向を容易に変更することができる技術が開示されている。具体的には、特許文献２のＸ線撮影装置には、マルチＸ線源と、Ｘ線が通過する複数の絞り孔が２次元状に形成され、これら複数の絞り孔の大きさ及び位置を調節可能なコリメータを備える。制御部は、第１の制御モードとして、Ｘ線源が変更された場合に観察領域を平行移動するため、変更後と変更前とで観察方向が平行になるように前記複数の絞り孔の大きさ及び位置を制御する。また、制御部は、第２の制御モードとして、Ｘ線源が変更された場合に観察方向を回転させるべく、変更後と変更前とで観察領域の中心が同じになるように前記複数の絞り孔の大きさ及び位置を制御する。
さらに、特許文献３には、複数方向からの照射を行うＸ線装置に関する技術が開示されている。特に、特許文献３には、小型のＸ線検出系で大きな画像を撮影する方法が開示されている。
以上のように、ステレオＸ線撮影は、２方向からＸ線を照射するため、単一の方向からの撮影に比して患者の被曝が増加する。しかしながら、被曝を減らすために照射領域を小さくすると病変の位置認識が難しくなる。
【先行技術文献】
【特許文献】
【０００３】
【特許文献１】特開昭６０−１２７６９８号公報
【特許文献２】特開２０１０−１１５２７０号公報
【特許文献３】特開平０６−３１９７２９号公報
【発明の概要】
【発明が解決しようとする課題】
【０００４】
上記実情に鑑み、本発明が解決しようとする課題は、関心領域、疾患領域の位置認識性を維持しつつ、ステレオＸ線撮影において患者の被曝を低減することが可能なステレオＸ線撮影装置とステレオＸ線撮影方法を提供することである。
【課題を解決するための手段】
【０００５】
前記課題を解決するため、本発明のステレオＸ線撮影装置は、Ｘ線を照射する複数のＸ線焦点を有するＸ線発生部と、前記複数のＸ線焦点が発して被写体を透過したＸ線を検出するＸ線検出器と、前記Ｘ線検出器が検出したＸ線をステレオ表示するステレオ表示部とを有し、前記複数のＸ線焦点のうちの一のＸ線焦点による一のＸ線照射領域は、前記複数のＸ線焦点のうちの他の一のＸ線焦点による他の一のＸ線照射領域に包含されるように設定されることを特徴とする。
本発明のステレオＸ線撮影方法は、Ｘ線を照射する複数のＸ線焦点を有するＸ線発生部と、前記複数のＸ線焦点が発して被写体を透過したＸ線を検出するＸ線検出器と、前記Ｘ線検出器が検出したＸ線をステレオ表示するステレオ表示部とを有するステレオＸ線撮影装置を用いてステレオＸ線画像を得るためのステレオＸ線撮影方法であって、前記複数のＸ線焦点のうちの一のＸ線焦点による一のＸ線照射領域は、前記複数のＸ線焦点のうちの他の一のＸ線焦点による他の一のＸ線照射領域に包含されるように設定されることを特徴とする。
【発明の効果】
【０００６】
本発明によれば、関心領域の位置認識性を維持しつつ、ステレオＸ線撮影において患者の被曝を低減することが可能になる。
【図面の簡単な説明】
【０００７】
【図１】図１は、本発明の第１実施例にかかるステレオＸ線撮影装置の要部の構成を模式的に示す図である。
【図２】図２（ａ）は、第一Ｘ線焦点および第二Ｘ線焦点から照射されるＸ線と、Ｘ線絞りと、被写体の関心領域との関係を示す図であり、図２（ｂ）は、Ｘ線検出器に対するＸ線の照射領域を示す図である。
【図３】図３（ａ）は、従来の構成における第一Ｘ線焦点および第二Ｘ線焦点から照射されるＸ線と、Ｘ線絞りと、被写体の関心領域との関係を示す図であり、図３（ｂ）は、従来の構成におけるＸ線検出器に対するＸ線の照射領域を示す図である。
【図４】図４（ａ）は、本発明の第１の実施例における第一Ｘ線焦点と第二Ｘ線照射領域を模式的に示す平面図であり、図４（ｂ）（ｃ）は、本発明の実施例ではない第一Ｘ線焦点と第二Ｘ線照射領域を模式的に示す平面図である。
【図５】図５（ａ）は、観察者の目の疲労を低減するための構成が適用されない場合のＸ線画像を示す図であり、図５（ｂ）は、観察者の目の疲労を低減するための構成が適用される場合のＸ線画像を示す図である。
【発明を実施するための形態】
【０００８】
（第１の実施例）
図１は、本発明の第１の実施例にかかるステレオＸ線撮影装置１００の要部の構成を示す図である。なお、図１においては、ステレオＸ線撮影装置１００が可搬型である構成を示すが、据置型であってもよい。図１に示すように、ステレオＸ線撮影装置１００は、ステレオＸ線発生部１と、Ｘ線絞り部９（図略。図２参照）と、Ｘ線検出器３と、ステレオ表示部６と、操作部４と、制御部５とを有する。ステレオＸ線発生部１は、Ｘ線を照射する複数のＸ線焦点として、第一Ｘ線焦点７と第二Ｘ線焦点８とを有する。第一Ｘ線焦点７と第二Ｘ線焦点８とは、Ｘ線を交互に照射する。Ｘ線絞り部９は、第一Ｘ線焦点７と第二Ｘ線焦点８から照射されるＸ線を絞ることによって、第一Ｘ線焦点７によるＸ線の照射領域と、第二Ｘ線焦点８によるＸ線の照射領域を設定することができる（図２参照）。なお、Ｘ線絞りによるＸ線の照射領域の具体的な設定については後述する。また、説明の便宜上、第一Ｘ線焦点７によるＸ線の照射領域を「第一Ｘ線照射領域１１」と称し、第二Ｘ線焦点８によるＸ線の照射領域を「第二Ｘ線照射領域１２」と称する。ステレオＸ線発生部１が照射したＸ線は、被写体Ｐ（たとえば患者）を透過してＸ線検出器３に到達する。Ｘ線検出器３は、被写体Ｐを透過して到達したＸ線を電気信号に変換する。制御部５は、Ｘ線検出器３が変換した電気信号に画像処理を施し、Ｘ線画像を生成する。ここで、Ｘ線検出器３と制御部５は、第一Ｘ線焦点７から照射された被写体Ｐを透過したＸ線と、第二Ｘ線焦点８から照射されて被写体Ｐを透過したＸ線のそれぞれを、電気信号に変換してＸ線画像を生成する。すなわち、制御部５は、第一Ｘ線焦点７から照射されたＸ線によるＸ線画像（以下、第一Ｘ線画像２１と称する）と、第二Ｘ線焦点８から照射されたＸ線によるＸ線画像（以下、第二Ｘ線画像２２と称する）とを生成する。ステレオ表示部６は、生成されたＸ線画像をステレオ表示する。すなわち、ステレオ表示部６は、第一Ｘ線画像２１と第二Ｘ線画像２２とを用いて、ステレオ表示を行う。なお、ステレオ表示部６は、ステレオ画像を表示できる構成であればよく、従来公知の各種ステレオ表示装置が適用できる。操作部４は、観察者（使用者）が、ステレオＸ線撮影装置１００を操作するために使用される。すなわち観察者は、操作部４を介して、ステレオＸ線発生部１と、Ｘ線絞り部９と、Ｘ線検出器３と、ステレオ表示部６とを操作する。
【０００９】
図２は、ステレオＸ線撮影装置１００によるＸ線の照射領域を模式的に示す図である。図２（ａ）は、第一Ｘ線焦点７および第二Ｘ線焦点８から照射されるＸ線と、Ｘ線絞り部９と、被写体Ｐの関心領域Ａとの関係を示す図である。図２（ｂ）は、Ｘ線検出器３に照射されるＸ線を示す図である。ここで、関心領域Ａとは、測定対象となる部位であって、ステレオＸ線撮影をしたい部位をいうものとする。図２に示すように、第二Ｘ線焦点８は、関心領域Ａを含む広い範囲に対してＸ線を照射する。ここで、「関心領域Ａを含む広い範囲」とは、関心領域Ａが被写体Ｐのいずれの位置にあるかを判別できる程度の範囲をいう。これに対して、第一Ｘ線焦点７は、関心領域Ａ（関心領域Ａの撮影に必要最小限の範囲も含む。以下同じ）に対してＸ線を照射する。このように、第一Ｘ線照射領域１１は、第二Ｘ線照射領域１２よりも小さく、第二Ｘ線照射領域１２に包含される。そして、特に図２（ａ）に示すように、第一Ｘ線照射領域１１と第二Ｘ線照射領域１２とは、Ｘ線絞り部９によって前記のとおり設定される。
【００１０】
Ｘ線検出器３は、第一Ｘ線焦点７から照射されたＸ線と、第二Ｘ線焦点８から照射されたＸ線のそれぞれを電気信号に変換する。制御部５は、変換された電気信号に画像処理を施す。そして、制御部５は、第一Ｘ線画像２１と第二Ｘ線画像２２とを生成する。ステレオ表示部６は、第一Ｘ線画像２１と第二Ｘ線画像２２とを用いて、ステレオ表示を行う。換言すると、ステレオ表示部６は、第一Ｘ線画像２１と第二Ｘ線画像２２とからなるステレオＸ線画像を表示する。
【００１１】
このような構成によれば、関心領域Ａには、第一Ｘ線焦点７と第二Ｘ線焦点８の両方からＸ線が照射される。このため、関心領域ＡについてはステレオＸ線画像を得ることができる。そして、第二Ｘ線焦点８から照射されるＸ線によって、関心領域Ａを含む広い範囲のＸ線画像を得ることができる。したがって、被写体Ｐの関心領域Ａを含む広範囲をＸ線によって可視化しつつ、関心領域Ａについてはステレオ表示することができる。このため、観察者は、関心領域ＡをステレオＸ線画像で観察することができるとともに、関心領域Ａが被写体Ｐのいずれの部位にあるかを把握することが容易となる。
ここで、本発明の第１の実施例の作用効果について、従来例と比較して説明する。図３は、従来のステレオＸ線撮影装置９００の構成を模式的に示す図である。図３（ａ）は、ステレオＸ線発生部９０１の第一Ｘ線焦点９０７および第二Ｘ線焦点９０８から照射されるＸ線と、Ｘ線絞り部９と、被写体Ｐの関心領域Ａとの関係を示す図である。図３（ｂ）は、Ｘ線検出器３に対するＸ線の照射領域を示す図である。図３（ａ）（ｂ）に示すように、従来のステレオＸ線撮影においては、第一Ｘ線焦点９０７と第二Ｘ線焦点９０８から照射されるＸ線は、Ｘ線絞り部９０９により、何れも被写体Ｐの関心領域Ａを照射するように設定される。このような構成であると、関心領域Ａが被写体Ｐの全体の大きさに比較して小さい場合には、得られたステレオＸ線画像は、被写体Ｐのいずれの部位を撮影したものであるかの判別が困難になることがある。この問題を解決するため、関心領域Ａを含む広い範囲に対してＸ線を照射してＸ線画像を得る構成がある。しかしながら、このような構成では、関心領域Ａではない部位も、第一Ｘ線焦点９０７と第二Ｘ線焦点９０８の両方からＸ線を照射する必要がある。このため、被写体ＰのＸ線の被曝量が大きくなる。
これに対して、本発明の第１の実施例においては、関心領域Ａ以外の部位には、第二Ｘ線焦点８からのみＸ線を照射し、第一Ｘ線焦点７からはＸ線を照射しない。このため、被写体Ｐの被曝量を、全体として低減することができる。そして、関心領域Ａには、第二Ｘ線焦点８と第一Ｘ線焦点７との両方からＸ線が照射されるため、ステレオＸ線画像を得ることができる。このため、観察者は、関心領域Ａをステレオ視することができる。さらに、関心領域Ａの周辺の部位については、第二Ｘ線焦点８からのＸ線によってＸ線画像が得られる。このため、関心領域Ａを含む広い範囲が可視化され、関心領域Ａの位置の把握が容易となる。
【００１２】
ここで、第一Ｘ線照射領域１１と第二Ｘ線照射領域１２について、図４を参照して説明する。図４は、第一Ｘ線照射領域１１と第二Ｘ線照射領域１２を模式的に示す平面図である。そして、図４（ａ）は、本発明の第１の実施例を示し、図４（ｂ）（ｃ）は、本発明の実施例ではない例を示す。なお、図４（ｂ）は、第一Ｘ線照射領域１１と第二Ｘ線照射領域１２とを別々に描いた図であり、図４（ｃ）は重ねて描いた図である。図４（ａ）に示すように、第一Ｘ線照射領域１１は、Ｘ線絞り部９によって、第二Ｘ線照射領域１２に包含されるように設定される。すなわち、第一Ｘ線照射領域１１は、Ｘ線絞り部９によって、第二Ｘ線照射領域１２より小さくなるように設定される。
そして、本発明の第一の実施例においては、図４（ｂ），（ｃ）に示す構成とは異なり、図４（ａ）に示すように、第一Ｘ線照射領域１１は、第二Ｘ線照射領域１２からはみ出すようには設定されない。得られたＸ線画像を用いてステレオ視できる領域は、第一Ｘ線照射領域１１，９１１と第二Ｘ線照射領域１２，９１２とが重複する領域である。このため、図４（ｂ）（ｃ）に示す構成では、ステレオ視できる領域は、第一Ｘ線照射領域９１１と第二Ｘ線照射領域９１２の一部（図４（ｃ）中のハッチングが施される領域）となる。したがって、第一Ｘ線照射領域１１が第二Ｘ線照射領域１２に包含される構成に比較すると、ステレオ視できる部分が小さくなり、被写体Ｐの診断能の向上を図ることができない。これに対して、本発明の第１の実施例においては、図４（ａ）に示すように、第一Ｘ線照射領域１１は、第二Ｘ線照射領域１２に包含されるように設定される。このような構成によれば、第一Ｘ線照射領域１１の全体を、ステレオ視できる。
【００１３】
次に、観察者の目の疲労を低減するための構成について、図５を参照して説明する。図５は、ステレオ表示部６に表示されるＸ線画像を模式的に示す図であり、左右の目に入る画像をそれぞれ別々に描いた図である。そして、図５（ａ）は、観察者の目の疲労を低減するための構成が適用されない場合のＸ線画像を示す。図５（ｂ）は、観察者の目の疲労を低減するための構成が適用される場合のＸ線画像を示す。第一Ｘ線画像２１と第二Ｘ線画像２２とをそのまま用いてステレオ表示を行うと、観察者の目が疲労しやすくなることがある。この原因は、図５（ａ）に示すように、第一Ｘ線画像２１と第二Ｘ線画像２２との大きさが異なり、観察者の左右の目に入る光量に差があるためである。そして、第一Ｘ線画像２１と第二Ｘ線画像２２の大きさの差が大きくなるにしたがって、観察者の目の疲労を生じさせやすくなる。
そこで、図５（ｂ）に示すように、制御部５は、第一Ｘ線画像２１の周囲に所定の補完画像２３を付加した画像を作成する。補完画像２３が付加された画像を、以下、被補完画像２４と称する。そして、ステレオ表示部６は、この被補完画像２４と、第二Ｘ線画像２２とを用いて、ステレオ表示を行う。具体的には、次のとおりである。
制御部５は、第一Ｘ線画像２１（＝関心領域Ａが撮影された画像）の周囲に、補完画像２３として第二Ｘ線画像２２を付加する。そして、第二Ｘ線画像２２が付加された画像を被補完画像２４とする。換言すると、制御部５は、第二Ｘ線画像２２のうち、関心領域Ａが写っている部分を、第一Ｘ線画像２１に置き換える。そして、置き換えられた画像を被補完画像２４とする。このようにして作成された被補完画像２４は、第二Ｘ線画像２２と大きさおよび輝度が略同じである。したがって、被補完画像２４と第二Ｘ線画像２２とを用いてステレオ表示を行う構成であれば、観察者の左右の目に入るＸ線画像の大きさおよび輝度を略同じにできる。このため、観察者の目の疲労を低減することができる。そして、このような構成によれば、第二Ｘ線画像２２と大きさおよび輝度が略同じ被補完画像２４を、容易に作成することができる。
また、次のような構成であってもよい。まず、制御部５は、第二Ｘ線画像２２について、関心領域Ａ以外の部分（＝関心領域Ａの外側の部分）の平均輝度を算出する。次いで、制御部５は、算出した平均輝度と同じ輝度の画素からなる補完画像２３を作成する。次いで、制御部５は、第一Ｘ線画像２１の周囲に、補完画像２３を付加して被補完画像２４を作成する。ここで、補完画像２３の外形寸法は、第二Ｘ線画像２２と略同じとする。このような構成であっても、前記同様の効果が得られる。
【００１４】
（第２の実施例）
次に、本発明の第２の実施例について説明する。第２の実施例は、動画の撮影および表示に適用される構成である。なお、本発明の第１の実施例と共通の構成については、同じ符号を付して記し、説明は省略する。
第２の実施例においては、第一Ｘ線照射領域１１の設定（＝関心領域Ａの設定）は、観察者によるＸ線絞り部９の操作によって行う構成であってもよく、制御部５の処理によって自動的に行う構成であってもよい。
ここで、第一Ｘ線照射領域１１を自動的に設定する構成について説明する。制御部５は、画像処理を実行する画像処理部を有しており、この画像処理部が画像処理を実行することによって、第一Ｘ線照射領域１１を設定する。具体的には、まず、第二Ｘ線焦点８を用いて、関心領域Ａを含む広い範囲のＸ線画像を撮影する。次いで、制御部５の画像処理部は、第二Ｘ線焦点８のＸ線画像の動きベクトルの検出と、細線化処理とを実行する。そして、制御部５の画像処理部は、第二Ｘ線焦点８のＸ線画像のうち、動きベクトルが所定の閾値以上であり、かつ、細線化処理後の線分領域を、第一Ｘ線照射領域１１（＝関心領域Ａ）として設定する。ここでは、エッジ成分からノイズ成分を削除した画像を線分画像とし、線分画像を含む領域を線分領域とする。動きベクトルを検出する方法としては、ブロックマッチング法や勾配法など、公知の各種方法が適用できる。
動きベクトルの検出は、たとえば、血管中のカテーテルの移動や、血管中の造影剤の移動や、治療器具などの移動を、Ｘ線画像によって検出することを目的とする。したがって、動きベクトルの「所定の閾値」は、これらが検出できる値に設定される。このように、「所定の閾値」は、適宜設定されるものであり、特に限定されるものではない。
細線化処理には、周波数フィルタリングや、アンシャープマスキングなど、公知の各種細線化処理が適用される。また、細線化処理は、先鋭化処理されたＸ線画像に対して施される。
先鋭化処理は、Ｘ線画像に包含されるエッジ部分を抽出することを目的とする。そして、先鋭化処理が施された画像に細線化処理をすることで、微小なノイズ成分を除去することができる。細線化処理が施された画像の線分領域を関心領域Ａとして設定することによって、カテーテルの先端、造影剤の流れの先端、治療器具の先端を検出できる。
ここで、動きベクトルが所定の閾値以上である領域と、細線化処理後の線分領域は、いずれも当該部分を囲む矩形領域で決定される。決定された矩形領域は、操作部４に表示される。そして、この矩形領域は、操作者が変更することが可能である。
【００１５】
なお、関心領域Ａとして設定される第一Ｘ線照射領域１１は、一辺が５０ｍｍ以上の矩形の領域であることが好ましい。関心領域Ａの一辺が５０ｍｍ以上でないと、ステレオ感を得ることが難しくなる。
【００１６】
次に、本発明の第２の実施例の全体的な流れについて説明する。
まず、ステレオＸ線撮影装置１００は、第二Ｘ線焦点８を用いて、関心領域Ａを含む広い範囲のＸ線画像（＝第二Ｘ線画像２２）を撮影する。この時点では、第一Ｘ線画像２１が存在しないため、ステレオ表示部６は、第二Ｘ線画像２２のみを表示する。すなわち、ステレオ表示部６は、ステレオ表示のための左右の画像の信号のうち、一方が存在しない状態で表示を行う。なお、ステレオ表示部６は、第一Ｘ線画像２１に代えて第二Ｘ線画像２２を表示する構成であってもよい。すなわち、ステレオ表示部６は、ステレオ表示のための左右の信号が同一の画像の信号である状態で表示を行う。このような構成であると、観察者の左右の目に同じ画像が入るため、ステレオ表示にはならないが、観察者の目の疲労の低減を図ることができる。
そして、制御部５の画像処理部は、前記処理を実行することによって、関心領域Ａを決定する。なお、制御部５の画像処理部は、関心領域Ａを大きめに設定する。すなわち、ここで制御部５の画像処理部により設定される関心領域Ａは、本来観察したい部位（＝本来の意味での関心領域Ａ）よりも広い範囲に設定される。その後、第一Ｘ線焦点７は設定された関心領域ＡにＸ線を照射し、Ｘ線検出器３は第一Ｘ線焦点７から照射されて被写体Ｐを透過したＸ線を検出し、制御部５は、第一Ｘ線画像２１を生成する。そして、ステレオ表示部６は、第一Ｘ線画像２１と第二Ｘ線画像２２とを用いて、ステレオ表示を行う。このような構成によれば、ステレオ表示部６は、関心領域Ａをステレオ表示できる。
その後、関心領域Ａを絞り込む場合には、Ｘ線絞り部９によって、第一Ｘ線照射領域１１（＝関心領域Ａ）を狭める。なお、関心領域Ａを絞り込むために、第一Ｘ線照射領域１１の位置や大きさや範囲を変更する場合においても、第一Ｘ線照射領域１１が第二Ｘ線照射領域１２に包含される設定に維持される。また、第二Ｘ線照射領域１２の大きさは、関心領域Ａの位置や範囲の認識を容易にするため、変更されずに維持される。
ここで、第１の実施例と同様に、第一Ｘ線画像２１に補完画像２３を付加した被補完画像２４を作成し、被補完画像２４を用いてステレオ表示を行う構成であってもよい。このような構成によれば、観察者の目の疲労を低減することができる。
【００１７】
以上、本発明の各実施形態について詳細に説明したが、上記実施形態は、何れも本発明を実施するにあたっての具体化の例を示したものに過ぎない。本発明は、これらの実施形態によって技術的範囲が限定的に解釈されてはならないものである。すなわち、本発明は、その技術思想またはその主要な特徴から逸脱することなく、さまざまな形で実施することができる。
【００１８】
たとえば、前記実施形態においては、複数のＸ線焦点として第一Ｘ線焦点７と第二Ｘ線焦点８を備え、第一Ｘ線照射領域１１が第二Ｘ線照射領域１２に包含される構成を示したが、本発明は、このような構成に限定されない。「第一Ｘ線焦点７」と「第二Ｘ線焦点８」は、説明の便宜上の区別に過ぎない。要は、一方のＸ線焦点のＸ線照射領域が、他方のＸ線焦点のＸ線照射領域に包含される構成であればよい。
また、前記実施形態においては、ステレオＸ線撮影装置１００が、複数のＸ線焦点として、第一Ｘ線焦点７と第二Ｘ線焦点８の２つを有する構成を示したが、Ｘ線焦点の数は限定されない。ステレオＸ線撮影装置１００が３つ以上のＸ線焦点を有し、それらのうちの２つを選択的に用いてステレオＸ線撮影およびステレオ表示を行う構成であってもよい。
【産業上の利用可能性】
【００１９】
本発明は、ステレオＸ線撮影装置と、ステレオＸ線撮影方法の分野に有効な技術である。そして、本発明は、人間や動物のＸ線画像診断に用いることができる。
【符号の説明】
【００２０】
１：ステレオＸ線発生部、３：Ｘ線検出器、４：操作部、５：制御部、６：ステレオ表示部、７：第一Ｘ線焦点、８：第二Ｘ線焦点、９：Ｘ線絞り部、１１：第一Ｘ線照射領域（＝第一Ｘ線焦点７の照射領域）、１２：第二Ｘ線照射領域（＝第二Ｘ線焦点８の照射領域）、２１：第一Ｘ線画像、２２：第二Ｘ線画像、２３：補完画像、２４：被補完画像、１００：ステレオＸ線撮影装置、Ａ：関心領域、Ｐ：被写体
【図１】
2013128661.tif 000003
【図２】
2013128661.tif 000004
【図３】
2013128661.tif 000005
【図４】
2013128661.tif 000006
【図５】
2013128661.tif 000007